(57)【特許請求の範囲】
【請求項１】
開放側の前面にシリンダー錠を設けた前面枠体と該前面枠体の横幅とほぼ同じ横幅を有しかつその前面一側に開閉自在に軸支される透明板保持枠とを備え、前記透明板保持枠は前記シリンダー錠と対向する開放側の錠穴周辺部を含め一体に成形されると共に該透明板保持枠の開放側に前記シリンダー錠の前端部が挿通される貫通孔を貫設したパチンコ遊技機であって、
前記前面枠体の前面に、前記透明板保持枠を閉めた状態で前記貫通孔から針金等の不正具を差し込んで行なわれる不正を防止するための不正防止手段を設けてなり、
前記不正防止手段は、前記前面枠体の開放側の前面に上下方向に沿って立設される内側壁と外側壁との間にちょうど嵌り込む横幅を有し、底壁の上下端縁に所定の高さの上壁と下壁を立設し、前記底壁には前記シリンダー錠にほとんど隙間の生じないように嵌装される通孔を開設して不正防止具を成形し、前記上壁と下壁とが前方へ突出する状態で前記シリンダー錠に前記通孔を嵌装して前記不正防止具を前記前面枠体前面の内側壁と外側壁との間に嵌め込むようにしたことを特徴とするパチンコ遊技機。
【請求項２】
開放側の前面にシリンダー錠を設けた前面枠体と該前面枠体の横幅とほぼ同じ横幅を有しかつその前面一側に開閉自在に軸支される透明板保持枠とを備え、前記透明板保持枠は前記シリンダー錠と対向する開放側の錠穴周辺部を含め一体に成形されると共に該透明板保持枠の開放側に前記シリンダー錠の前端部が挿通される貫通孔を貫設したパチンコ遊技機であって、
前記前面枠体の前面に、前記透明板保持枠を閉めた状態で前記貫通孔から針金等の不正具を差し込んで行なわれる不正を防止するための不正防止手段を設けてなり、
前記不正防止手段は、前記前面枠体の開放側の前面に上下方向に沿って立設される内側壁と外側壁との間にちょうど嵌り込む横幅を有し、底壁の上下端縁に所定の高さの上壁と下壁を立設し、前記下壁の前端縁を下方へ折り曲げ下前側壁を設けると共に該下前側壁の下端縁を後方へ折り曲げて下端壁を設け、前記底壁には前記シリンダー錠にほとんど隙間の生じないように嵌装される通孔を開設して不正防止具を成形し、前記上壁と下壁とが前方へ突出する状態で前記シリンダー錠に前記通孔を嵌装し、前記前面枠体前面の内側壁と外側壁との間に、前記底壁裏面と下端壁の後端が該内側壁と外側壁との長手方向に設けられる段部に当接した状態で前記不正防止具を嵌め込むようにしたことを特徴とするパチンコ遊技機。
【発明の詳細な説明】
【０００１】
【発明の属する技術分野】
本発明は、前面枠体の前面に開閉自在に軸支され遊技盤の前面を覆う透明板保持枠全体を一体に形成し、デザイン的に優れしかも不正防止も図られるパチンコ遊技機に関するものである。
【０００２】
【従来の技術】
一般に、パチンコ遊技機は、機枠の前面に前面枠体が配設される。そして、この前面枠体の後面に遊技盤が装着され、前面には遊技盤の前面を覆う透明板保持枠が配設されている。更に詳しく説明すると、前記前面枠体は機枠の一側に、また透明板保持枠は前面枠体の一側にそれぞれ開閉自在に軸止されている。更に、前記前面枠体の開放側の前面には前面枠体及び透明板保持枠を施錠するためのシリンダー錠が前方へ突出させて設けられている。
【０００３】
一方、最近は前記透明板保持枠の横幅が前面枠体の横幅とほぼ同じであって、前面枠体の上部前面の全体を覆うようにしたパチンコ遊技機が主流をなしている。これにより、パチンコ遊技機前面のデザインが斬新で統一感のあるものとすることができ、商品価値が上がるためである。
【０００４】
ところで、この種のパチンコ遊技機にあっては、通常、シリンダー錠の鍵穴部が前端面に設けられており、鍵でその操作をするには透明板保持枠の前側から行なわれるので、透明板保持枠にシリンダー錠の先端部が挿通されその鍵穴部が臨む貫通孔を開設する必要がある。ただ、この貫通孔は透明板保持枠の開放側に位置し、しかも透明板保持枠が一側を中心とし回動することから、シリンダー錠が支えて回動し得ないことがないようにシリンダー錠の外径より大きく成形しなければならない。
【０００５】
しかしながら、このように貫通孔の大きさをシリンダー錠の外径よりもあまり大きくすると、その間に隙間ができ、ともするとその隙間から細い針金を差し込み、例えば、本来、シリンダー錠を作動させて前面枠体または透明板保持枠を開ける施錠杆や係止板を勝手に作動させて不正をする危険性がある。このことから、前記シリンダー錠の周辺部位となる鍵穴周辺部材を前記透明板保持枠とは別個に成形し、その鍵穴周辺部材を前面枠体に固定することでシリンダー錠の外周面と貫通孔との間に隙間を生じさせないようにしている。
【０００６】
【発明が解決しようとする課題】
前記のように、シリンダー錠の周辺部位となる鍵穴周辺部材を透明板保持枠と別個に成形し、その鍵穴周辺部材を前面枠体に固定することでシリンダー錠の外周面と貫通孔との間に隙間を生じさせないようにすれば、遊技者の不正行為は防止できるものの、鍵穴周辺部材が別個に成形されることから、パチンコ遊技機を正面から見た場合に、透明板保持枠と鍵穴周辺部材との境界がはっきり現れてしまいデザイン的に一体化することが困難であるばかりか、装飾的に見劣りし、引いては商品価値が低下するという課題が有る。
【０００７】
そこで、本発明は上記課題を解決すべくなされたもので、従来のように鍵穴周辺部材を別個に設けることなく、前記鍵穴周辺部をも含め透明板保持枠全体を一体に成形するようにして、透明板保持枠のデザインを統一感があるようにし、デザインの向上、引いては商品価値の向上を図ることができ、しかも同時に不正行為も防止できるようにしたパチンコ遊技機を提供することを目的とするものである。
【０００８】
【課題を解決するための手段】
かかる目的を達成するため、本発明に係るパチンコ遊技機は、開放側の前面にシリンダー錠を設けた前面枠体と該前面枠体の横幅とほぼ同じ横幅を有しかつその前面一側に開閉自在に軸支される透明板保持枠とを備え、該透明板保持枠は前記シリンダー錠と対向する開放側の錠穴周辺部を含め一体に成形されると共に該透明板保持枠の開放側に前記シリンダー錠の前端部が挿通される貫通孔を貫設したパチンコ遊技機であって、前記前面枠体の前面に、前記透明板保持枠を閉めた状態で前記貫通孔から針金等の不正具を差し込んで行なわれる不正を防止するための不正防止手段を設けた構成からなる。
【０００９】
このように、不正防止手段を設けるようにしたので、不正が防止されるばかりか従来のように鍵穴周辺部材を別個に設ける必要もなく、この鍵穴周辺部をも含め透明板保持枠全体を一体に成形できるようにして、透明板保持枠のデザインを統一感があるようにでき、デザインの向上、引いては商品価値の向上を図ることができる。
【００１１】
前記不正防止手段として、例えば、前記前面枠体の開放側の前面に上下方向に沿って立設される内側壁と外側壁との間にちょうど嵌り込む横幅を有し、底壁の上下端縁に所定の高さの上壁と下壁を立設し、前記底壁には前記シリンダー錠にほとんど隙間の生じないように嵌装される通孔を開設して不正防止具を成形し、前記上壁と下壁とが前方へ突出する状態で前記シリンダー錠に前記通孔を嵌装して前記不正防止具を前記前面枠体前面の内側壁と外側壁との間に嵌め込むようにした構成が採られる。
【００１２】
また、前記不正防止手段として、例えば、前記前面枠体の開放側の前面に上下方向に沿って立設される内側壁と外側壁との間にちょうど嵌り込む横幅を有し、底壁の上下端縁に所定の高さの上壁と下壁を立設し、前記下壁の前端縁を下方へ折り曲げ下前側壁を設けると共に該下前側壁の下端縁を後方へ折り曲げて下端壁を設け、前記底壁には前記シリンダー錠にほとんど隙間の生じないように嵌装される通孔を開設して不正防止具を成形し、前記上壁と下壁とが前方へ突出する状態で前記シリンダー錠に前記通孔を嵌装し、前記前面枠体前面の内側壁と外側壁との間に、前記底壁裏面と下端壁の後端が該内側壁と外側壁との長手方向に設けられる段部に当接した状態で前記不正防止具を嵌め込むようにした構成が採られる。
【００１３】
【発明の実施の形態】
以下、本発明に係るパチンコ遊技機の実施の形態を図面に基づき説明する。図１は本発明が適用されるもので透明板保持枠を開放したパチンコ遊技機の斜視図である。パチンコ遊技機１は、縦長方形状に枠組みして成形される機枠２と、該機枠２の一側にヒンジ機構３によって開閉自在に軸支される前面枠体４とを備え、該前面枠体４の前面一側に透明板保持枠５と、打球供給皿６を有する前面板７及び余剰球受皿８を有する前面下部板９とが開閉自在に軸支されている。
【００１４】
前記前面枠体４は、鉄板等の金属板によって額縁状に成形され、その裏側に遊技盤１０が着脱可能に取り付けられる。また詳しい説明は省略するが、前記前面枠体４には、パチンコ遊技機１の主要な遊技構成部品のほぼすべてが集約して設けられる。前面枠体４の主枠部１１前面には、遊技盤１０の遊技領域外を覆うように合成樹脂材により成形されたレール飾り部材１２が設けられ、遊技盤１０の遊技領域外には証紙貼付部材１３が設けられる。
【００１５】
前面枠体４の開放側の前面に、その端縁の上下方向に沿って内側壁１４ａとこれと所定の間隔離して平行をなす外側壁１４ｂとが立設され、内側壁１４ｂの内側にはスプリング１５により常に上方へ付勢され透明板保持枠５を施錠する係止板１６が組み付けられる。また、前面枠体４の裏側には、該前面枠体４を施錠する施錠杆（図示せず。）が組み付けられることになる。前記内・外側壁１４ａ，１４ｂ間の奥端壁１４ｃにシリンダー錠１７が固着されており、このシリンダー錠１７に鍵を挿入して一方向に回動させることにより施錠杆を移動させて前面枠体４の施錠を開錠すると共に、鍵の反対方向の回動により係止板１６を移動させて透明板保持枠５の施錠を開錠するように構成されている。
【００１６】
前記透明板保持枠５は、合成樹脂材により額縁状に形成される保持枠体５ａと、その裏面に当接される補強用の当て枠１９とからなる。この保持枠体５ａは前記シリンダー錠１７と対向する鍵穴周辺部も含め一体に成形されている。また、当て枠１９には２枚の方形状のガラス板２０が前後に配置される保持溝枠２１が一体に設けられている。そして、この保持溝枠２１の外側面には、透明板保持枠５を閉じたとき、前記係止板１６の上下部に設けられた係止爪２２に係合し得るＬ型係止金具２３が設けられている。２４は保持枠体５ａと当て枠１９とに連続して貫設され、前記シリンダー錠１７の前端部が挿通され、その鍵穴部１８が臨む貫通孔である。この貫通孔２４は、透明板保持枠５が一側を支点にして開閉する関係上、その動作に支障をきたさないようにシリンダー錠１７の外径より大きく成形されている。
【００１７】
本発明にあっては、不正防止手段として前記前面枠体４の開放側であって内側壁１４ａと外則壁１４ｂとの間でシリンダー錠１７に不正防止具２５が取付けられる。この不正防止具２５は、金属板を折り曲げて成形され、図２に示すように内側壁１４ａと外側壁１４ｂとの間にちょうど嵌り込む横幅を有する。そして、底壁２５ａの上下端部を前方へ略直角に折り曲げて上壁２５ｂと下壁２５ｃが設けられ、さらに上壁２５ｂと下壁２５ｃの前端縁をそれぞれ同じ高さ位置で略直角に上方または下方へ折り曲げて上前側壁２５ｄと下前側壁２５ｅとが設けられる。前記上前側壁２５ｄの上端縁に後方へ折り曲げられて上端壁２５ｆが設けられ、下前側壁２５ｅの下端縁に下端壁２５ｇが設けられている。前記底壁２５ａの一側縁には上・下前側壁２５ｄ，２５ｅと同じ高さの側壁２５ｈが設けられている。
【００１８】
そして、前記底壁２５ａに、前記シリンダー錠１７が挿通される通孔２６が開設されている。この通孔２６は前記シリンダー錠１７の横断面形状と略同一であり、シリンダー錠１７に通孔２６を嵌装したとき、前記シリンダー錠１７の外周面と通孔２６の内周面との間にはほとんど隙間の生じないようになっている。
【００１９】
前記不正防止具２５は、図３に示すように配置し、図４に示すように前記内側壁１４ａと外側壁１４ｂとの間に嵌めこまれ、通孔２６にシリンダー錠１７を挿通して取付けられる。このとき、図６に示すように底壁２５ａ裏面と下端壁２５ｇの後端が前記内側壁１４ａと外側壁１４ｂとにその長手方向に沿って設けられる段部２７に当接して安定した状態で固定される。これにより、図５、図６に示すように前記内側壁１４ａと外側壁１４ｂとの間で貫通孔２４を挟んだ上・下部はそれぞれ上壁２５ｂと下壁２５ｃにより囲われ、しかも、これら上壁２５ｂと下壁２５ｃは前記内側壁１４ａ、外側壁１４ｂと同じ高さになるので、透明板保持枠５を閉めた状態では、貫通孔２４と連通する内部空間Ｓは、底壁２５ａと当て枠１９、上壁２５ｂと下壁２５ｃ、内側壁１４ａ（側壁２５ｈ）と外側壁１４ｂとによって周囲が隙間なく囲われることとなる。
【００２０】
前記透明板保持枠５の貫通孔２４はシリンダー錠１７の外径よりも大きく成形されているので、図７に示すように透明板保持枠５が何ら支障なく開閉できることとなる。しかも、図５鎖線に示すように貫通孔２４のシリンダー錠１７の外側面との隙間からその内側に針金Ｈを忍ばせ、その先端のフック部ｈを例えば係止爪２２に引掛け、係止板１６をスプリング１５の弾発力に抗して下方へ引下げてＬ型係止金具２３との係合を解き、透明板保持枠５を開いて不正を行なおうとしても、前記針金Ｈの先端フック部ｈは底壁２５ａまたは上壁２５ｂ面に突き当たり、それ以上進むことが出来なくなるので、不正が防止される。
【００２１】
よって、透明板保持枠５の保持枠体５ａは、シリンダー錠１７と対向する鍵穴周辺部を含め全体的に合成樹脂材により一体に成形できることとなり、保持枠体５ａ前面のデザインが一体化することができ装飾的に富むこととなる。
なお、本発明に係る不正防止具２５は前記構成に限るものではなく、貫通孔２４と連通する内部空間Ｓが密閉されるものであれば他の構成であっても良い。また、透明板保持枠５は本発明に係るものの他、例えば打球供給皿が装着される前面板を一体に成形したもの、更には余剰球受皿が装着された前面下部板も一体に成形したものであっても適用できる。
【００２２】
【発明の効果】
以上説明したように本発明に係るパチンコ遊技機は、開放側の前面にシリンダー錠を設けた前面枠体と該前面枠体の横幅とほぼ同じ横幅を有しかつその前面一側に開閉自在に軸支される透明板保持枠とを備え、前記透明板保持枠は前記シリンダー錠と対向する開放側の錠穴周辺部を含め一体に成形されると共に該透明板保持枠の開放側に前記シリンダー錠の前端部が挿通される貫通孔を貫設したパチンコ遊技機であって、前記前面枠体の前面に、前記透明板保持枠を閉じた状態で前記貫通孔から針金等の不正具を差し込んで行なわれる不正を防止するための不正防止手段を設けた構成からなるので、従来のように鍵穴周辺部材を別個に設ける必要がなく、前記鍵穴周辺部をも含め透明板保持枠全体を一体に成形し、そのデザインに統一感を持たせるようにしてデザインの向上、引いては商品価値の向上を図ることができ、しかも同時に不正行為をも防止できるという有益な効果がある。
【図面の簡単な説明】
【図１】  本発明が適用され透明板保持枠を開放したパチンコ遊技機の斜視図。
【図２】  本発明に係る不正防止具の斜視図。
【図３】  同取り付ける状態を示すパチンコ遊技機の要部の斜視図。
【図４】  同取り付けた状態を示すパチンコ遊技機の要部の斜視図。
【図５】  同取り付けた状態を示すパチンコ遊技機の要部の平面断面図。
【図６】  同取り付けた状態を示すパチンコ遊技機の要部の側面断面図。
【図７】  透明板保持枠の開いた状態を示すパチンコ遊技機の要部の平面断面図。
【符号の説明】
１                パチンコ遊技機
４                前面枠体
５                透明板保持枠
１４ａ            内側壁
１４ｂ            外側壁
１７              シリンダー錠
２３              Ｌ型係止金具
２４              貫通孔
２５              不正防止手段（不正防止具）
２５ａ            底壁
２５ｂ            上壁
２５ｃ            下壁
２５ｅ            下前側壁
２５ｇ            下端壁
２６              通孔
２７              段部
Ｈ                不正具（針金）
【図１】
0003782703.tif 000002
【図２】
0003782703.tif 000003
【図３】
0003782703.tif 000004
【図４】
0003782703.tif 000005
【図５】
0003782703.tif 000006
【図６】
0003782703.tif 000007
【図７】
0003782703.tif 000008